(57)【要約】【課題】映像信号処理回路において、Ｖｉｄｅｏ信号源から３Ｄ伝送フォーマットに従って２Ｄ映像信号が伝送されて来た場合にも、内部の信号処理回路が不要な動作をすることを抑制して、低消費電力化を図る。【解決手段】入力ＶＩＤＥＯ制御部４１０内に搭載された片面ＭＵＴＥ制御部４１１は、３Ｄ伝送フォーマットに従って２Ｄ映像信号が伝送されて来た際には、３Ｄ伝送フォーマットのＬ面及びＲ面を判断し、２Ｄ映像信号が使用されていない片面（例えばＬ面）の期間では、Ｖｉｄｅｏ信号源でこの片面に搭載されたデータを固定データに置換して、入力ＶＩＤＥＯ制御部４１２ａ、色空間変更部４１２ｂ及びＰａｃｋｅｔ搭載部４１ｃに順次送る。従って、これ等３つの回路部では不要な動作が停止する。【選択図】図１
2011014993.tif 000002
【特許請求の範囲】
【請求項１】
３Ｄ映像信号を処理する映像信号処理装置において、
前記３Ｄ映像信号を受けて所定の信号処理を行う信号処理部と、
Ｌ面に左目用データを搭載しＲ面に右目用データを搭載して伝送する３Ｄ映像伝送フォーマットに従って、２Ｄ映像信号が前記２面のうち何れか片面を使用して送信されてきた際、前記Ｌ面及びＲ面を判定し、前記２Ｄ映像信号が未使用の片面の期間において前記信号処理部の動作を停止させる片面ＭＵＴＥ制御部とを備えた
ことを特徴とする映像信号処理装置。
【請求項２】
前記請求項１記載の映像信号処理装置において、
前記信号処理部は、ＨＤＭＩ規格に従って受けた映像信号に対して所定の信号処理を行う
ことを特徴とする映像信号処理装置。
【請求項３】
前記請求項１又は２記載の映像信号処理装置において、
前記片面ＭＵＴＥ制御部は、
前記２Ｄ映像信号が未使用の片面の期間において、前記信号処理部に対して固定データを出力して、前記信号処理部の動作を停止させる
ことを特徴とする映像信号処理装置。
【請求項４】
前記請求項１又は２記載の映像信号処理装置において、
前記片面ＭＵＴＥ制御部は、
前記２Ｄ映像信号が未使用の片面の期間において、前記信号処理部に対するクロック信号の供給を停止して、前記信号処理部の動作を停止させる
ことを特徴とする映像信号処理装置。
【請求項５】
前記請求項１又は２記載の映像信号処理装置において、
前記片面ＭＵＴＥ制御部は、
前記２Ｄ映像信号が未使用の片面の期間において、前記信号処理部に対して固定データを出力する共に、前記信号処理部に対するクロック信号の供給を停止して、前記信号処理部の動作を停止させる
ことを特徴とする映像信号処理装置。
【請求項６】
請求項１〜３及び５の何れか１項に記載の映像処理装置において、
前記片面ＭＵＴＥ制御部は、
入力された２Ｄ映像信号の色空間指定信号を受けて、この色空間指定信号に対応した黒色データを、前記固定データとして、前記信号処理部に出力する
ことを特徴とする映像信号処理装置。
【請求項７】
前記請求項１〜３及び５の何れか１項に記載の映像処理装置において、
前記片面ＭＵＴＥ制御部は、
ＨＯＳＴ  ＣＰＵから前記固定データを受け、この受けた固定データを前記信号処理部に出力する
ことを特徴とする映像処理処理装置。
【請求項８】
前記請求項１〜３及び５の何れか１項に記載の映像処理装置において、
前記片面ＭＵＴＥ制御部は、
入力された２Ｄ映像信号の色空間指定信号を受けて、この色空間指定信号に対応した黒色データを、前記固定データとして、前記信号処理部に出力する機能と、
ＨＯＳＴ  ＣＰＵから前記固定データを受け、この受けた固定データを前記信号処理部に出力する機能との２つの機能を有する
ことを特徴とする映像信号処理装置。
【請求項９】
前記請求項４又は５記載の映像信号処理装置において、
前記所定の信号処理を行う信号処理部は複数個備えられ、
前記片面ＭＵＴＥ制御部は、
外部から前記複数個の信号処理部の何れかを選択する選択信号を受け、
前記２Ｄ映像信号が未使用の片面の期間において、前記選択信号により選択された信号処理部に対するクロック信号の供給を停止する
ことを特徴とする映像信号処理装置。
【請求項１０】
前記請求項９記載の映像信号処理装置において、
前記片面ＭＵＴＥ制御部は、
使用のモード設定信号を受け、この受けたモード設定信号に基づいて、前記２Ｄ映像信号が未使用の片面の期間においてクロック信号の供給を停止するか、使用中の片面でもクロック信号の供給を停止するかを判断する
ことを特徴とする映像信号処理装置。
【請求項１１】
前記請求項１〜５の何れか１項に記載の映像処理装置において、
前記片面ＭＵＴＥ制御部は、
外部から前記３Ｄ伝送フォーマットが設定され、この設定された３Ｄ伝送フォーマットに対応したＬ面及びＲ面を判定する
ことを特徴とする映像信号処理装置。
【請求項１２】
前記請求項１〜５の何れか１項に記載の映像処理装置において、
前記片面ＭＵＴＥ制御部は、
前記３Ｄ伝送フォーマットのＬ面及びＲ面を識別した識別信号が外部から入力され、この入力された識別信号に基づいて前記Ｌ面及びＲ面を判定する
ことを特徴とする映像信号処理装置。
【請求項１３】
前記請求項１１又は１２記載の映像信号処理装置において、
前記片面ＭＵＴＥ制御部は、
ＨＯＳＴ  ＣＰＵから、判定したＬ面又はＲ面の何れの面を前記２Ｄ映像信号が未使用の片面であるとするかの切替信号を受け、この受けた切替信号に基づいて、前記２Ｄ映像信号が未使用の片面の期間において前記信号処理部の動作を停止させる
ことを特徴とする映像信号処理装置。
【請求項１４】
前記請求項１〜５の何れか１項に記載の映像信号処理装置において、
ＨＯＳＴ  ＣＰＵから、現在入力されている映像信号が２Ｄ映像信号か３Ｄ映像信号かの２Ｄ／３Ｄ設定信号を受け、この受けた２Ｄ／３Ｄ設定信号に基づいて、前記２Ｄ映像信号が未使用の片面の期間において前記信号処理部の動作を停止させる
ことを特徴とする映像信号処理装置。
【請求項１５】
前記請求項１〜５の何れか１項に記載の映像信号処理装置において、
外部から、現在入力されている映像信号が２Ｄ映像信号か３Ｄ映像信号かの２Ｄ／３Ｄ設定信号を受け、この受けた２Ｄ／３Ｄ設定信号に基づいて、前記２Ｄ映像信号が未使用の片面の期間において前記信号処理部の動作を停止させる
ことを特徴とする映像信号処理装置。
【請求項１６】
前記請求項１〜５の何れか１項に記載の映像信号処理装置において、
ＨＯＳＴ  ＣＰＵ及び外部から、各々、現在入力されている映像信号が２Ｄ映像信号か３Ｄ映像信号かの２Ｄ／３Ｄ設定信号を受け、この受けた２Ｄ／３Ｄ設定信号に基づいて、前記２Ｄ映像信号が未使用の片面の期間において前記信号処理部の動作を停止させる
ことを特徴とする映像信号処理装置。
【請求項１７】
前記請求項１〜１６の何れか１項に記載の映像信号処理装置を備えた
ことを特徴とする映像処理システム。
【請求項１８】
前記請求項１〜１６の何れか１項に記載の映像信号処理装置を備えた
ことを特徴とする半導体集積回路。
【請求項１９】
前記請求項２記載の映像信号処理装置において、
前記信号処理部は、映像信号に所定の処理を施す処理回路部と、Ｐａｃｋｅｔ搭載部とを備える
ことを特徴とする映像信号処理装置。
【請求項２０】
前記請求項１９記載の映像信号処理装置において、
前記処理回路部は、入力ＶＩＤＥＯ制御部と、色空間変更部とを備える
ことを特徴とする映像信号処理装置。
【請求項２１】
３Ｄ映像信号を処理する映像信号処理方法であって、
Ｌ面に左目用データを搭載しＲ面に右目用データを搭載して伝送する３Ｄ映像伝送フォーマットに従って、前記２面のうち何れか片面を使用した２Ｄ映像信号を受信した後、
前記受信した２Ｄ映像信号における前記Ｌ面及びＲ面を判定し、
その判定結果に基づいて、前記２Ｄ映像信号が未使用の片面の期間において、前記３Ｄ映像信号を受けて所定の信号処理を行う信号処理部の動作を停止させる
ことを特徴とする映像信号処理方法。
【発明の詳細な説明】
【技術分野】
【０００１】
本発明は、主に、デジタル映像/音声伝送送信規格であるＨＤＭＩ規格を使用するに当たり、ＨＤＭＩ送信回路及びそのシステムに関する。
【背景技術】
【０００２】
現在、ハイビジョン映像を非圧縮のデジタルデータで伝送する規格であるＨＤＭＩ(High Definition Multimedia Interface)規格において、立体映像信号（以下、３Ｄ映像信号という）の伝送に関する規格化がなされようとしている。このＨＤＭＩ規格は、例えば非特許文献１に記載されている。
【０００３】
３Ｄ映像信号は、この３Ｄ映像信号が格納されているブルーレイやＤＶＤ等映像再生機器からテレビ等の表示デバイスまで、３Ｄ映像信号対応のＨＤＭＩ規格で伝送されることになるが、放送波では、本編は３Ｄ映像信号の伝送であるが、ＣＭ（コマーシャル）は通常映像信号（以下、２Ｄ映像信号という）が伝送される。このため、３Ｄ伝送と２Ｄ伝送とを動的に切り替える必要がある。
【先行技術文献】
【非特許文献】
【０００４】
【非特許文献１】High Definition Multimedia Interface Specification Version 1.4 page 143-145 and 188-193 発行元 HDMI Licensing, LLC
【発明の概要】
【発明が解決しようとする課題】
【０００５】
しかしながら、前記従来の技術では、次の問題がある。即ち、３Ｄ伝送と２Ｄ伝送とを動的に切り替える場合には、図１７にその様子を示すように、同図（Ａ）に示す２Ｄ映像信号での垂直同期信号(以下、Ｖｓｙｎｃという)１００と、同図（Ｂ）に示す３Ｄ映像信号でのＶｓｙｎｃ１０１とでは、入力ビデオクロックやＶｓｙｎｃの形状が異なる。このため、ＨＤＭＩ規格上、認証シーケンスをその都度、やり直す必要がある。しかし、この認証シーケンスをその都度行うと、その認証の間の数秒程度は画面表示が黒画面となり、動的に変更するのには適さない。
【０００６】
そのため、例えば図１８に示すように、同図（Ａ）に示す３Ｄ伝送フォーマットで３Ｄ映像信号を伝送する場合には、通常通り、左目用データ(以下、Ｌデータという)２００と、右目用データ(以下、Ｒデータという)２０１とが交互で送られてくるのに対し、同図（Ｂ）に示すように、３Ｄ伝送フォーマットに従って２Ｄ映像信号２１０を片面（同図ではＬ面）だけに搭載して伝送すると、映像伝送フォーマットに変更を伴わないので、認証シーケンスをやり直す必要がなく、瞬時に切り替え可能とすることが想定される。
【０００７】
しかしながら、上述の３Ｄ伝送フォーマットに従って２Ｄ映像信号の伝送を行う場合、２Ｄ映像信号の伝送元のブルーレイやＤＶＤ等映像再生機器では、図１８（Ｂ）に示すように、有効データである２Ｄ映像信号２１０を片面だけに搭載し、残る片面（同図ではＲ面）には任意に所定データ（無効データ）２１１を搭載するが、この２Ｄ映像信号が未使用のＲ面での無効データ２１１に関しては、ブルーレイやＤＶＤ等映像再生機器からどのようなデータが送られてくるかが不明である。従って、この無効データがランダムなデータである場合には、映像データ系の不必要な回路が動作し、その結果、消費電力が増加するという問題がある。
【０００８】
図１９は従来のＨＤＭＩ送信側伝送システム小一例を示す。尚、構成としては、ブルーレイやＤＶＤプレーヤーやレコーダー、又はデジタルビデオカメラ等の映像を送信するシステムを想定しているが、この限りではない。
【０００９】
図１９において、ＨＤＭＩ送信側伝送システム３０２では、Ｖｉｄｅｏ信号源３０１から伝送されたＶｉｄｅｏ信号を入力し、この入力されたＶｉｄｅｏ信号についてのデータ整形やデータ有効イネーブル信号の生成等を行う入力ＶＩＤＥＯ制御部３１０と、入力Ｖｉｄｅｏデータの色空間変更を行う色空間変更部３１１、とＡｕｄｉｏデータや制御用パケットをＶｉｄｅｏ信号のブランク期間に搭載するＰａｃｋｅｔ搭載部３１２と、差動伝送用に８ｂ−１０ｂ変換を行い、差動ラインのＤＣバランスの均一化を行うＥｎｃｏｄｅ部３１３とを備える。入力されたＶｉｄｅｏ信号は以上の回路部を通過して、ＨＤＭＩ受信側に送られて表示装置３０４にて表示される。尚、ＨＯＳＴ  ＣＰＵ３０３はレジスタ制御部３１４を制御している。
【００１０】
前記Ｖｉｄｅｏ信号源３０１が３Ｄ伝送フォーマットに従って２Ｄ映像信号を伝送する場合には、このＶｉｄｅｏ信号源３０１が３Ｄ伝送フォーマットのＬ面及びＲ面の何れの未使用面にどのようなデータを搭載するかは不明である。そのため、仮に、前記未使用面にランダムなデータをＨＤＭＩ送信側伝送システム３０２に伝送した場合には、前記入力ＶＩＤＥＯ制御部３１０、色空間変更部３１１及びＰａｃｋｅｔ搭載部３１２の各回路部で映像データ系の回路が動作してしまい、無駄な電力が消費されてしまうという課題がある。
【課題を解決するための手段】
【００１１】
本発明の目的は、３Ｄ伝送フォーマットに従って２Ｄ映像信号が伝送された来た場合にも、未使用の片面の無効データによっても映像データ系の回路が不要に動作しないように対処して、電力消費の削減を図ることにある。
【００１２】
前記の目的を達成するため、本発明の映像信号処理装置は、３Ｄ伝送フォーマットに従って２Ｄ映像信号が伝送された来た場合には、その３Ｄ伝送フォーマットのＬ面又はＲ面の期間を判定し、その判定結果に基づいて、未使用の片面の期間では、その未使用の片面の無効データを固定データに変換したり、不要に動作していた映像データ系の回路に供給するクロック信号を停止する構成を採用することとする。
【００１３】
具体的に、請求項１記載の発明の映像信号処理装置は、３Ｄ映像信号を処理する映像信号処理装置において、前記３Ｄ映像信号を受けて所定の信号処理を行う信号処理部と、Ｌ面に左目用データを搭載しＲ面に右目用データを搭載して伝送する３Ｄ映像伝送フォーマットに従って、２Ｄ映像信号が前記２面のうち何れか片面を使用して送信されてきた際、前記Ｌ面及びＲ面を判定し、前記２Ｄ映像信号が未使用の片面の期間において前記信号処理部の動作を停止させる片面ＭＵＴＥ制御部とを備えたことを特徴とする。
【００１４】
請求項２記載の発明は、前記請求項１記載の映像信号処理装置において、前記信号処理部は、ＨＤＭＩ規格に従って受けた映像信号に対して所定の信号処理を行うことを特徴とする。
【００１５】
請求項３記載の発明は、前記請求項１又は２記載の映像信号処理装置において、前記片面ＭＵＴＥ制御部は、前記２Ｄ映像信号が未使用の片面の期間において、前記信号処理部に対して固定データを出力して、前記信号処理部の動作を停止させることを特徴とする。
【００１６】
請求項４記載の発明は、前記請求項１又は２記載の映像信号処理装置において、前記片面ＭＵＴＥ制御部は、前記２Ｄ映像信号が未使用の片面の期間において、前記信号処理部に対するクロック信号の供給を停止して、前記信号処理部の動作を停止させることを特徴とする。
【００１７】
請求項５記載の発明は、前記請求項１又は２記載の映像信号処理装置において、前記片面ＭＵＴＥ制御部は、前記２Ｄ映像信号が未使用の片面の期間において、前記信号処理部に対して固定データを出力する共に、前記信号処理部に対するクロック信号の供給を停止して、前記信号処理部の動作を停止させることを特徴とする。
【００１８】
請求項６記載の発明は、請求項１〜３及び５の何れか１項に記載の映像処理装置において、前記片面ＭＵＴＥ制御部は、入力された２Ｄ映像信号の色空間指定信号を受けて、この色空間指定信号に対応した黒色データを、前記固定データとして、前記信号処理部に出力することを特徴とする。
【００１９】
請求項７記載の発明は、前記請求項１〜３及び５の何れか１項に記載の映像処理装置において、前記片面ＭＵＴＥ制御部は、ＨＯＳＴ  ＣＰＵから前記固定データを受け、この受けた固定データを前記信号処理部に出力することを特徴とする。
【００２０】
請求項８記載の発明は、前記請求項１〜３及び５の何れか１項に記載の映像処理装置において、前記片面ＭＵＴＥ制御部は、入力された２Ｄ映像信号の色空間指定信号を受けて、この色空間指定信号に対応した黒色データを、前記固定データとして、前記信号処理部に出力する機能と、ＨＯＳＴ  ＣＰＵから前記固定データを受け、この受けた固定データを前記信号処理部に出力する機能との２つの機能を有することを特徴とする。
【００２１】
請求項９記載の発明は、前記請求項４又は５記載の映像信号処理装置において、前記所定の信号処理を行う信号処理部は複数個備えられ、前記片面ＭＵＴＥ制御部は、外部から前記複数個の信号処理部の何れかを選択する選択信号を受け、前記２Ｄ映像信号が未使用の片面の期間において、前記選択信号により選択された信号処理部に対するクロック信号の供給を停止することを特徴とする。
【００２２】
請求項１０記載の発明は、前記請求項９記載の映像信号処理装置において、前記片面ＭＵＴＥ制御部は、使用のモード設定信号を受け、この受けたモード設定信号に基づいて、前記２Ｄ映像信号が未使用の片面の期間においてクロック信号の供給を停止するか、使用中の片面でもクロック信号の供給を停止するかを判断することを特徴とする。
【００２３】
請求項１１記載の発明は、前記請求項１〜５の何れか１項に記載の映像処理装置において、前記片面ＭＵＴＥ制御部は、外部から前記３Ｄ伝送フォーマットが設定され、この設定された３Ｄ伝送フォーマットに対応したＬ面及びＲ面を判定することを特徴とする。
【００２４】
請求項１２記載の発明は、前記請求項１〜５の何れか１項に記載の映像処理装置において、前記片面ＭＵＴＥ制御部は、前記３Ｄ伝送フォーマットのＬ面及びＲ面を識別した識別信号が外部から入力され、この入力された識別信号に基づいて前記Ｌ面及びＲ面を判定することを特徴とする。
【００２５】
請求項１３記載の発明は、前記請求項１１又は１２記載の映像信号処理装置において、前記片面ＭＵＴＥ制御部は、ＨＯＳＴ  ＣＰＵから、判定したＬ面又はＲ面の何れの面を前記２Ｄ映像信号が未使用の片面であるとするかの切替信号を受け、この受けた切替信号に基づいて、前記２Ｄ映像信号が未使用の片面の期間において前記信号処理部の動作を停止させることを特徴とする。
【００２６】
請求項１４記載の発明は、前記請求項１〜５の何れか１項に記載の映像信号処理装置において、ＨＯＳＴ  ＣＰＵから、現在入力されている映像信号が２Ｄ映像信号か３Ｄ映像信号かの２Ｄ／３Ｄ設定信号を受け、この受けた２Ｄ／３Ｄ設定信号に基づいて、前記２Ｄ映像信号が未使用の片面の期間において前記信号処理部の動作を停止させることを特徴とする。
【００２７】
請求項１５記載の発明は、前記請求項１〜５の何れか１項に記載の映像信号処理装置において、外部から、現在入力されている映像信号が２Ｄ映像信号か３Ｄ映像信号かの２Ｄ／３Ｄ設定信号を受け、この受けた２Ｄ／３Ｄ設定信号に基づいて、前記２Ｄ映像信号が未使用の片面の期間において前記信号処理部の動作を停止させることを特徴とする。
【００２８】
請求項１６記載の発明は、前記請求項１〜５の何れか１項に記載の映像信号処理装置において、ＨＯＳＴ  ＣＰＵ及び外部から、各々、現在入力されている映像信号が２Ｄ映像信号か３Ｄ映像信号かの２Ｄ／３Ｄ設定信号を受け、この受けた２Ｄ／３Ｄ設定信号に基づいて、前記２Ｄ映像信号が未使用の片面の期間において前記信号処理部の動作を停止させることを特徴とする。
【００２９】
請求項１７記載の発明の映像処理システムは、前記請求項１〜１６の何れか１項に記載の映像信号処理装置を備えたことを特徴とする。
【００３０】
請求項１８記載の発明の半導体集積回路は、前記請求項１〜１６の何れか１項に記載の映像信号処理装置を備えたことを特徴とする。
【００３１】
請求項１９記載の発明は、前記請求項２記載の映像信号処理装置において、前記信号処理部は、映像信号に所定の処理を施す処理回路部と、Ｐａｃｋｅｔ搭載部とを備えることを特徴とする。
【００３２】
請求項２０記載の発明は、前記請求項１９記載の映像信号処理装置において、前記処理回路部は、入力ＶＩＤＥＯ制御部と、色空間変更部とを備えることを特徴とする。
【００３３】
請求項２１記載の発明の映像信号処理方法は、３Ｄ映像信号を処理する映像信号処理方法であって、Ｌ面に左目用データを搭載しＲ面に右目用データを搭載して伝送する３Ｄ映像伝送フォーマットに従って、前記２面のうち何れか片面を使用した２Ｄ映像信号を受信した後、前記受信した２Ｄ映像信号における前記Ｌ面及びＲ面を判定し、その判定結果に基づいて、前記２Ｄ映像信号が未使用の片面の期間において、前記３Ｄ映像信号を受けて所定の信号処理を行う信号処理部の動作を停止させることを特徴とする。
【００３４】
前述の構成を持つことにより、請求項１〜２１記載の発明の映像信号処理装置及び方法では、３Ｄ伝送フォーマットに従って２Ｄ映像信号が伝送されて来た場合に、その３Ｄ伝送フォーマットのＬ面及びＲ面のうち未使用面を判定して、その未使用面の映像データを固定データに変更したり、未使用面だけ信号処理回路に供給するクロック信号を停止させたので、未使用面伝送時でのそれ等の信号処理回路の低消費電力化が可能である。
【発明の効果】
【００３５】
以上説明したように、請求項１〜２１記載の発明の映像信号処理装置及び方法によれば、３Ｄ伝送フォーマットに従って２Ｄ映像信号を伝送されて来た場合にも、信号処理回路の不要な動作を抑制して、それ等の信号処理回路の低消費電力化が可能である。
【図面の簡単な説明】
【００３６】
【図１】本発明の第１の実施形態の映像信号処理装置の全体構成を示す図である。
【図２】同映像信号処理装置に備える片面ＭＵＴＥ部制御部の内部構成を示す図である。
【図３】（Ａ）は同映像信号処理装置に備えるＬＲ判定回路によるＬＲ判定信号の生成例を示す図、同図（Ｂ）は同ＬＲ判定信号の他の生成例を示す図である。
【図４】片面ＭＵＴＥ制御部の動作例を示す図である。
【図５】本発明の第２の実施形態の映像信号処理装置の全体構成を示す図である。
【図６】本発明の第３の実施形態の映像信号処理装置の全体構成を示す図である。
【図７】本発明の第１〜第３実施形態の映像信号処理装置に備える片面ＭＵＴＥ部制御部の第１の変形例を示す図である。
【図８】同片面ＭＵＴＥ部制御部の第２の変形例を示す図である。
【図９】同片面ＭＵＴＥ部制御部の第３の変形例を示す図である。
【図１０】本発明の第２及び第３実施形態の映像信号処理装置に備えるクロック制御部の第１の変形例を示す図である。
【図１１】同クロック制御部の第２の変形例を示す図である。
【図１２】本発明の第１〜第３実施形態の映像信号処理装置に備えるＬＲ判定回路の第１の変形例を示す図である。
【図１３】本発明の第１〜第３実施形態の映像信号処理装置に備える固定面出力部の第１の変形例を示す図である。
【図１４】同固定面出力部の第２の変形例を示す図である。
【図１５】同固定面出力部の第３の変形例を示す図である。
【図１６】同固定面出力部の第４の変形例を示す図である。
【図１７】２Ｄ映像伝送フォーマットと３Ｄ映像伝送フォーマットとの例を示す図である。
【図１８】３Ｄ映像伝送フォーマットを用いて２Ｄ映像を伝送する一例を示す図である。
【図１９】従来の映像信号処理装置の構成を示す図である。
【発明を実施するための形態】
【００３７】
以下、本発明の実施の形態の映像信号処理装置を図面を参照しながら説明する。尚、本発明の説明はＨＤＭＩ送信システムを例にして記載するが、特にＨＤＭＩに限定するものではない。
【００３８】
（第１の実施形態）
本発明の実施形態１の映像信号処理装置を図１に示す。
【００３９】
図１において、ブルーレイやＤＶＤプレーヤーやレコーダー等の映像機器４００において、Ｖｉｄｅｏ信号源４０１からＨＤＭＩ伝送部４０２へ映像データが送られ、この装置全体をＨＯＳT  ＣＰＵ４０３が制御している。そのため、Ｖｉｄｅｏ信号源４０１が３Ｄフォーマットに従った映像信号の伝送中に出力映像が３Ｄ出力か２Ｄ出力かは、ＨＯＳＴ  ＣＰＵ４０３が把握している。
【００４０】
入力ＶＩＤＥＯ制御部４１０の内部には、片面ＭＵＴＥ制御部４１１が新たに追加される。この片面ＭＵＴＥ制御部４１１には、ＨＯＳＴ  ＣＰＵ４０３からレジスタ制御部４１４を通じて３Ｄ伝送フォーマット等の諸設定が行われる。また、入力ＶＩＤＥＯ制御部４１０の内部には、片面ＭＵＴＥ制御部４１１の後段に電力削減ブロック４１２が配置され、この電力削減ブロック４１２は、入力ＶＩＤＥＯ制御部（処理回路部）４１２ａ、色空間変更部（処理回路部）４１２ｂ及びＰａｃｋｅｔ搭載部４１２ｃで構成される。前記入力ＶＩＤＥＯ制御部４１２ａは、入力したＶｉｄｅｏ信号の整形や、データ有効イネーブル信号の生成等を行う。また、色空間変更部４１２ｂは入力されたＶｉｄｅｏ映像信号の色空間変更を行い、Ｐａｃｋｅｔ搭載部４１２ｃは、Ａｕｄｉｏデータや制御用パケットをＶｉｄｅｏ映像信号のブランク期間に搭載する。尚、片面ＭＵＴＥ制御部４１１は、本実施形態では入力ＶＩＤＥＯ制御部４１０の内部に配置したが、この構成に限るものではなく、入力ＶＩＤＥＯ制御部４１０とは別ブロックであっても良く、また、どの位置に配置するかも本実施形態の限りではない。但し、ＨＤＭＩ伝送部４０２の初段にある方が本発明の効果が得られ易い。
【００４１】
入力ＶＩＤＥＯ制御部４１０の内部には、更に、Ｅｎｃｏｄｅ部４１３が備えられる。このＥｎｃｏｄｅ部４１３は、差動伝送用に８ｂ−１０ｂ変換を行い、差動ラインのＤＣバランスの均一化を行う。
【００４２】
次に、前記片面ＭＵＴＥ制御部４１１の内部構成を図２に基づいて説明する。図２に示した片面ＭＵＴＥ制御部５００では、先ず、ＬＲ判定回路５０２に、レジスタ制御部５０１からの３Ｄ伝送フォーマット指定信号と映像制御信号Ｖｓｙｎｃ、水平同期信号Ｈｓｙｎｃ、３Ｄ映像信号のデータ有効領域信号ＤＥを入力し、それ等の情報から、入力される３Ｄ伝送フォーマットでのＬ面／Ｒ面の領域判定を行う。尚、図２では、片面ＭＵＴＥ制御部５００には、Ｖｉｄｅｏ信号源４０１からデータ有効領域信号ＤＥが入力される構成としたが、このデータ有効領域信号ＤＥは、Ｖｉｄｅｏ信号源４０１からは送信されないでＨＤＭＩ伝送部４０２の内部で生成される場合には、このＨＤＭＩ伝送部４０２の内部からＬＲ判定回路５０２に入力される。
【００４３】
前記片面ＭＵＴＥ制御部５００では、更に、ＬＲ判定回路５０２のＬＲ判定信号を固定面出力部５０３に入力し、この固定面出力部５０３にて固定面選択信号を生成する。例えば、この固定面出力部５０３は、Ｒ面固定時の場合には、入力されたＬＲ判定信号がＲ面の場合に１値の固定面選択信号を出力する。また、その逆にＬ面固定時の場合には、入力されたＬＲ判定信号がＬ面の場合に１値の固定面選択信号を出力する。また、固定面出力部５０３は、レジスタ制御部５０１から２Ｄ伝送又は３Ｄ伝送の設定信号を受け、３Ｄ映像信号の伝送時にはＨＯＳＴ  ＣＰＵ４０３からレジスタ制御部５０１に３Ｄ伝送設定が行われ、レジスタ制御部５０１からその３Ｄ設定信号を受けて、固定面選択信号を０値に固定して、Ｌ面及びＲ面の何れのデータも固定しないようにする。
【００４４】
更に、図２の片面ＭＵＴＥ制御部５００において、固定面出力部５０３の固定面選択信号はセレクタ５０５に入力される。セレクタ５０５は、前記固定面選択信号に基づいて、３Ｄ伝送フォーマットに従った２Ｄ映像信号の未使用面でのデータ入力時（固定面選択信号＝１値）は固定データ５０４を出力し、２Ｄ映像信号の使用面でのデータ入力時（固定面選択信号＝０値）は、その２Ｄ映像信号のデータを選択して出力する。
【００４５】
このようにして、片面ＭＵＴＥ制御部５００は、３Ｄ伝送フォーマットに従った２Ｄ映像信号の未使用面でのデータを固定値に置換して、映像データ系の回路部である後段の電力削減ブロック４１２に出力して、その動作を停止させて、消費電力を抑える。
【００４６】
従って、前記固定データを０値又は１値に固定しておけば、後段の電力削減ブロック４１２（入力ＶＩＤＥＯ制御部４１２ａ、色空間変更部及４１２ｂびＰａｃｋｅｔ搭載部４１２ｃ）では、データの変化、遷移がない状態が継続するので、低消費電力となる。
【００４７】
尚、固定データは、特に０値、１値等に限定されず、例えば、入力される映像データの色空間に応じた黒色データでも良い。
【００４８】
以上により、３Ｄ伝送フォーマットに従った２Ｄ映像信号の伝送を行う場合にも、その３Ｄ伝送フォーマットでの２Ｄ映像信号の未使用面の判定と、その未使用面でのデータの固定とにより、電力削減ブロック４１２の電力削減が可能となる。
【００４９】
そして、前記３Ｄ伝送フォーマットでの２Ｄ映像信号の未使用面の領域では、固定データ５０４に応じた映像信号がＥｎｃｏｄｅ部４１３に入力されて、ＨＤＭＩ規格に沿ったエンコード処理がなされて、表示装置４０４に伝送されて表示される。
【００５０】
尚、本実施形態では、ＤＶＤプレーヤーやレコーダー、デジタルカメラ等の異なるセット装置であっても、組み込み可能な構成である。
【００５１】
（ＬＲ判定回路の動作例）
次に、前記図２に示した片面ＭＵＴＥ制御部５００内のＬＲ判定回路５０２の動作の具体例を図３に示す。
【００５２】
図３において、例えば、図３（Ａ）に示したように、垂直ライン数が画面の２倍の３Ｄ伝送フォーマットが入力された場合には、ＨＯＳＴ  ＣＰＵ４０３はそのフォーマットの内容をＬＲ判定回路５０２に通知する。これに従い、ＬＲ判定回路５０２は、入力されるＶｓｙｎｃのエッジでＬＲ判定信号１４００を初期化し、先ず０値（Ｌ面と判断）とする。次に、映像信号のデータ有効領域信号ＤＥのエッジ数をカウントし、そのカウント数が所定ライン数に達すると、ＬＲ判定信号１４００を反転して１値（Ｒ面と判断）にする。その後、入力されるＶｓｙｎｃのエッジの時点、又はデータ有効領域信号ＤＥのエッジ数のカウント数が所定ライン数に達すると、ＬＲ判定信号１４００を再び初期化する。このようにして、ＬＲ判定回路５０２では、図３（Ａ）の３Ｄ伝送フォーマットに対するＬＲ判定信号１４００を生成する。
【００５３】
一方、図３（Ｂ）に示したように、水平ライン数が画面の２倍の３Ｄ伝送フォーマットが入力された場合は、ＨＯＳＴ  ＣＰＵ４０３はその３Ｄ伝送フォーマットの内容をＬＲ判定回路５０２に通知する。これに従い、ＬＲ判定回路５０２は、入力されるＶｓｙｎｃのエッジでＬＲ判定信号１４０１を初期化し、先ず、０値（Ｌ面と判断）とする。次に、映像信号のデータ有効領域信号ＤＥの立下りエッジの時点、又は画素数のカウント数が１ライン分に到達すると、ＬＲ判定信号１４０１を反転して、１値（Ｒ面と判断）にする。その後、例えばデータ有効領域信号ＤＥの次の立下りエッジの時点でＬＲ判定信号１４０１を再び初期化する。このようにして、ＬＲ判定回路５０２では、図３（Ｂ）の３Ｄ伝送フォーマットに対するＬＲ判定信号１４０１を生成する。
【００５４】
以上、３Ｄ伝送フォーマットのＬ面及びＲ面を精度良く検出したＬＲ判定信号１４００、１４０１を生成したが、Ｖｉｄｅｏ信号源４０１から３Ｄ伝送フォーマットで伝送される２Ｄ映像信号の不使用面（例えばＲ面）でのデータを固定データ５０４に置換する目的からは、例えばＬ面の領域の途中でＬＲ判定信号１４００、１４０１を１値（Ｒ面と判断）にしても良い。
【００５５】
また、本実施形態では、図３（Ａ）及び図３（Ｂ）の２例を記載したが、３Ｄ伝送フォーマットは、この２例に限定されるものではない。
【００５６】
前記３Ｄ伝送フォーマットでの２Ｄ映像信号の未使用面でのデータ固定に伴う電力削減ブロック４１２での電力削減について説明する。電力削減ブロック４１２内の入力ＶＩＤＥＯ制御部４１２ａ及び色空間変更部４１２ｂは、３Ｄ映像信号の場合には、図３（Ａ）及び（Ｂ）に示したデータ有効領域信号ＤＥのＨ期間でのみ動作し、データ有効領域信号ＤＥのＬ期間、即ち、映像データのないブランク期間では停止する。一方、Ｐａｃｋｅｔ搭載部４１２ｃは、データ有効領域信号ＤＥのＨ期間で動作すると共に、Ａｕｄｉｏデータや制御用パケットの搭載のためにデータ有効領域信号ＤＥのＬ期間の一部でも動作する。一方、Ｅｎｃｏｄｅ部４１３は常時動作する。３Ｄ映像フォーマットを使用した２Ｄ映像信号の場合には、３Ｄ伝送フォーマットのＬ面及びＲ面の両面のうち片面のデータ（無効データ）については、電力削減ブロック４１２、即ち、入力ＶＩＤＥＯ制御部４１２ａ、色空間変更部４１２ｂ及びＰａｃｋｅｔ搭載部４１２ｃ（３つの信号処理部）は動作するが、この無効データが本来の２Ｄ映像信号でない関係上、この片面の無効データが片面ＭＵＴＥ制御部５００において固定データ５０４に置換されるので、これ等の回路部は、その無効データの片面の期間において動作を停止し、その分、消費電力が削減される。
【００５７】
具体的に、図４を用いてその詳細動作を示す。同図（Ａ）において、Ｖｉｄｅｏ信号源４０１から３Ｄ伝送フォーマットのＬ面に２Ｄ映像信号の有効データ７００が、Ｒ面に無効データ７０１が送られて来た場合には、同図（Ｂ）に示すように、ＬＲ判定信号７０２はＲ面での無効データ入力時に１値となる。それを受けて、図２の片面ＭＵＴＥ制御部５００内の固定面出力部５０３では、Ｒ面の場合に固定面選択信号７０３が１値になる。この固定面選択信号７０３を基づいて、同図（Ｃ）に示すように、Ｌ面ではセレクタ５０５によって２Ｄ映像信号自体（有効データ）７０４が選択され、Ｒ面では固定データ７０５が選択されるので、電力削減ブロック４１２での消費電力が有効に削減される。
【００５８】
（第２の実施形態）
次に、本発明の第２の実施形態を説明する。
【００５９】
図５は本発明の第２の実施形態を示し、前記図２に示した片面ＭＵＴＥ制御部５００を変形したものである。
【００６０】
即ち、前記図２の片面ＭＵＴＥ制御部５００では、固定面出力部５０３からの固定面選択信号に基づいてセレクタ５０５を制御して、３Ｄ伝送フォーマットに従った２Ｄ映像信号の未使用面では固定データ５０４を選択して、電力削減ブロック４１２に出力したが、これに代えて、電力削減ブロック４１２へのクロック信号の供給を停止して、その動作を制限するものである。
【００６１】
従って、図５の片面ＭＵＴＥ制御部６００では、図２と同様に、レジスタ制御部６０１からの信号を受けるＬＲ判定回路６０２と、固定面出力部６０３とを有すると共に、クロック制御部６０４を備える。前記クロック制御部６０４は、固定面出力部６０３からの固定面選択信号受け、この固定面選択信号が１値のとき、即ち、３Ｄ伝送フォーマットに従った２Ｄ映像信号の未使用面では、電力削減ブロック６０５へのクロック信号の供給を停止し、固定面選択信号が１値の２Ｄ映像信号の使用面では電力削減ブロック６０５へのクロック信号の供給を再開する。
【００６２】
従って、本実施形態においても、前記第１の実施形態と同様に、電力削減ブロック６０５での２Ｄ映像信号の未使用面での電力削減が可能である。
【００６３】
尚、本実施形態における電力削減ブロック６０５は、図１の電力削減ブロック４１２、つまり、入力ＶＩＤＥＯ制御部４１２ａ、色空間変更部４１２ｂ及びＰａｃｋｅｔ搭載部４１２ｂで構成されるが、本発明は、この構成のみに限るものではなく、例えば、色空間変更部４１２ｂがない構成や、色空間変更部４１２ｂの前段に高画質化回路等が配置されている構成でも良いのは勿論である。
【００６４】
（第３の実施形態）
続いて、本発明の第３の実施形態を図６に基づいて説明する。
【００６５】
本実施形態は、前記第１の実施形態と第２の実施形態を組み合わせたものである。
【００６６】
即ち、図６に示した片面ＭＵＴＥ制御部８００は、図２の片面ＭＵＴＥ制御部５００と図５の片面ＭＵＴＥ制御部６００との双方の構成を持ち、具体的には、ＬＲ判定回路８０２と、固定面出力部８０３と、セレクタ８０５とに加えて、クロック制御部８０６とを備える。
【００６７】
従って、本実施形態では、３Ｄ伝送フォーマットに従った２Ｄ映像信号の未使用面では、固定データ８０４を電力削減ブロック８０７に出力する同時に、クロック制御部８０６により電力削減ブロック８０７へのクロック信号の供給を停止して、後段の電力削減ブロック８０７の無駄な動作を確実に停止させることが可能である。
【００６８】
（片面ＭＵＴＥ制御部の変形例１）
次に、前記片面ＭＵＴＥ制御部の変形例１を図７に基づいて説明する。
【００６９】
図７に示した片面ＭＵＴＥ制御部９００には、前記図２に示した片面ＭＵＴＥ制御部５００の構成に固定データ選択部９０２が追加される。
【００７０】
映像信号では、入力される映像データの色空間によって黒色の値が異なる。例えば、ＲＧＢならば、Ｒ＝０ｘ００、Ｇ＝０ｘ００、Ｂ＝０ｘ００が黒色データとなる。また、ＹＣｂＣｒ４：４：４ならば、Ｙ＝０ｘ００、Ｃｂ＝Ｃｒ＝０ｘ８０が黒色データとなる。
【００７１】
本実施形態では、レジスタ制御部９０１から入力映像データの色空間指定信号を固定データ選択部９０２に入力し、この固定データ選択部９０２において、その入力映像データの色空間指定信号に対応した黒色データを選択して、この黒色データを固定データとしてセレクタ９０３に出力する。
【００７２】
この構成により、入力映像信号の色空間変更等に対し、自動で追従して絶えず黒色データを固定データとして出力することが出来る。
【００７３】
尚、本変形例１では、固定データとして黒色データを使用したが、不要な動作抑制による低消費電力化の観点からは、黒色に限定されず、種々の色のうち特定の１色を採用すれば良い。
【００７４】
（片面ＭＵＴＥ制御部の変形例２）
図８は、片面ＭＵＴＥ制御部の変形例２を示す。
【００７５】
同図の片面ＭＵＴＥ制御部１０００では、セレクタ１００３に入力される固定データ１００２を、ＨＯＳＴ  ＣＰＵ４０３からレジスタ制御部１００１を経由して直接設定することが出来るように構成したものである。
【００７６】
（片面ＭＵＴＥ制御部の変形例３）
図９は、片面ＭＵＴＥ制御部の変形例３を示す。
【００７７】
同図の片面ＭＵＴＥ制御部１１００は、前記図７の片面ＭＵＴＥ制御部９００と図８の片面ＭＵＴＥ制御部１０００とを組み合せたものである。
【００７８】
即ち、図９の片面ＭＵＴＥ制御部１１００では、入力映像データの色空間指定信号に対応した黒色データを固定データとしてセレクタ１１０４に出力する固定データ選択部１１０２を備えると共に、ＨＯＳＴ  ＣＰＵ４０３からレジスタ制御部１００１を経由して直接設定された固定データ１１０３が前記セレクタ１１０４に出力される構成を有する。この固定データ１１０３と前記固定データ選択部１１０２からの固定データとの何れか一方がセレクタ１１０４にて選択される。セレクタ１１０４は、レジスタ制御部１１０１から出力される片面ＭＵＴＥ時固定値選択信号に基づいて、前記２つの固定データのうち一方を選択する。
【００７９】
（クロック制御部の変形例１）
図１０は、前記図５の片面ＭＵＴＥ制御部６００に備えるクロック制御部６０４の変形例１を示す。
【００８０】
図１０のクロック制御部１２００では、セレクタ１２０１が追加される。このセレクタ１２０１は、レジスタ制御部１２０２から電力削減ブロック４１２に属する各回路部Ａ〜Ｎに対するＡ〜Ｎ個のクロック制御信号（選択信号）１２０３により制御が行われる。
【００８１】
例えば、回路部Ｎに対し固定面選択信号に連動してクロック信号の供給を停止させたい場合には、固定面選択信号がクロック停止信号となるように、回路部Ｎクロック制御信号１２０３を選択すると、固定面選択信号による動作停止制御が可能となる。
【００８２】
一方、回路部Ｎを固定面選択信号に関係なく連続して起動させたい場合は、０値がクロック信号の供給の停止信号となるように回路部Ｎクロック制御信号１２０３を選択すると、固定面選択信号に関わらず０値が出力されて、連続起動が可能となる。
【００８３】
次に、回路部Ｎを固定面選択信号に関係なく連続して停止させたい場合は、１値がクロック信号の供給の停止信号となるように回路部Ｎクロック制御信号１２０３を選択すると、固定面選択信号に関わらず１値が出力されて、連続停止が可能となる。
【００８４】
このように、回路部Ａ〜Ｎ毎にそれ等の回路部仕様に応じて、自由にクロック信号の供給の停止又は起動モードを選択することが出来る。
【００８５】
尚、本実施形態では、回路部Ａ〜Ｎ毎にクロック信号の供給の完全停止、完全起動、連動設定が行える例を示したが、特に、この構成に限定するものではなく、特定の回路部は完全起動、連動設定のみでも良く、接続される回路部の内容次第で種々の構成が採用可能である。
【００８６】
（クロック制御部の変形例２）
図１１は、クロック制御部の変形例２を示す。
【００８７】
同図のクロック制御部１３００には、クロック制御部１３００とレジスタ制御部１３０１との間にクロック制御自動選択部１３０２が追加される。前記クロック制御自動選択部１３０２には、レジスタ制御部１３０１から来る回路部Ｎクロック制御信号１３０３と、モード設定信号１３０４とが入力される。
【００８８】
今、例えば、前記モード設定信号１３０４を入出力空間情報、クロック信号の供給が制御される回路部を色空間変更部とした場合を考える。
【００８９】
仮に、入出力の色空間変更の設定がされている場合には、２Ｄ映像信号（有効データ）の入力時は色空間変更が必要なため、色空間変更部にクロック信号を供給し、未使用の片面の無効データ入力時はクロック信号の供給を停止できる。一方、入出力の色空間変更に無設定がされている場合には、色空間変更部は、有効データの入力時と無効データの入力時との双方でクロック信号を供給する必要がない。
【００９０】
従って、モード設定信号１３０４により入出力色空間変更無という情報が送られた場合には、クロック制御自動選択部１３０２は、クロック信号の供給不要と判断して、クロック制御部１３００にクロック信号の供給の完全停止設定信号を送って、色空間変更部のみに対しクロック信号の供給が完全停止される。
【００９１】
このように、各種の動作モードに応じて、動作が必要な回路部と、動作が不要な回路部とで制御方法を細かく設定し、かつ各動作モードにおいて自動的に動作を完全停止するか、固定面選択信号に応じて停止するかも自動で設定することが可能となる。
【００９２】
尚、本実施形態では、クロック制御自動選択部１３０２を１つだけ配置した例を記載したが、特にこの構成に限定するものではなく、全回路部、又は効果のある一部の回路部にだけ配置しても良いのは勿論である。
【００９３】
（ＬＲ判定回路の変形例１）
図１２はＬＲ判定回路の変形例１を示す。
【００９４】
同図のＬＲ判定回路１５００においては、レジスタ制御部１５０１からＬＲ信号外部入力設定信号１５０２がセレクタ１５０３に入力される。このセレクタ１５０３は、前記ＬＲ信号外部入力設定信号１５０２に基づいて、ＬＲ判定信号生成部１６０６で内部生成されたＬＲ判定信号１５０４と、外部から入力されたＬＲ識別信号（識別信号）１５０５との何れかを選択する。
【００９５】
従って、本実施形態では、ＨＯＳＴ  ＣＰＵからの設定により、セレクタ１５０３の選択動作を制御できるので、外部からのＬＲ識別信号１５０５が入力される場合には、そのＬＲ識別信号１５０５をセレクタ１５０３で選択して、ＬＲ判定信号として使用することが出来る。
【００９６】
尚、本実施形態では、ＬＲ判定信号外部入力設定信号１５０２をレジスタ制御部１５０１から出力して、その設定信号１５０２をセレクタ１５０３の選択制御信号としたが、３Ｄフォーマット指定信号としてＬＲ判定信号が外部から来るフォーマットを割り付ければ、その３Ｄフォーマット指定信号に基づいてＬＲ判定信号が外部入力かどうかを判定し、その判定信号でもってセレクタ１５０３を選択動作させることも可能である。
【００９７】
（固定面出力部の変形例１）
図１３は固定面出力部の変形例１を示す。
【００９８】
同図の固定面出力部１６０１では、レジスタ制御部１６００から固定面出力部１６０１に対して固定面切替信号１６０２が入力され、この固定面切替信号１６０２によりセレクタ１６０５の選択制御が行われる。この固定面切替信号１６０２は、０値でＲ面固定、１値でＬ面固定とし、ＨＯＳＴ  ＣＰＵから設定される。
【００９９】
前記セレクタ１６０５には、ＬＲ判定信号生成部１６０６からのＬＲ判定信号１６０３がそのまま入る系と、そのＬＲ判定信号１６０３を反転器１６０４で反転して入る系とがあり、前記固定面切替信号１６０２が１値の時には、セレクタ１６０５は反転器１６０４で反転された信号を選択する。
【０１００】
この構成により、固定面切替信号１６０２が０値の時には、ＬＲ判定信号１６０３がそのまま固定面選択信号１６０５として出力されるので、セレクタ１６０５からはＲ面入力時に１値の固定面選択信号が出力されて、Ｒ面で固定データに固定されることになる。
【０１０１】
逆に、固定面切替信号１６０２が１値の時には、ＬＲ判定信号１６０３の反転信号がセレクタ１６０５で固定面選択信号として選択出力されるので、Ｌ面で１値の固定面選択信号が出力されて、Ｌ面で固定データに固定されることになる。
【０１０２】
このように、本変形例では、ＨＯＳＴ  ＣＰＵから、Ｒ面で固定データに設定するか、Ｌ面で固定データに設定するかを自由に設定することが出来る。
【０１０３】
（固定面出力部の変形例２）
図１４は固定面出力部の変形例２を示す。
【０１０４】
同図の固定面出力部１７０１では、レジスタ制御部１７００から２Ｄ設定信号又は３Ｄ設定信号１７０２が入力され、この２Ｄ／３Ｄ設定信号がセレクタ１７０３の制御信号とされる。ＨＯＳＴ  ＣＰＵ４０３がレジスタ制御部１７００に対し３Ｄ伝送設定をした場合には、セレクタ１７０３は３Ｄ設定信号１７０２に基づいて０値を出力し、固定面選択信号を絶えず０値に固定するので、片面ＭＵＴＥ制御は行わない。
【０１０５】
一方、ＨＯＳＴ  ＣＰＵ４０３が２Ｄ伝送設定をした場合には、セレクタ１７０３は固定面選択信号生成部１７０４からの固定面選択信号を選択する。
【０１０６】
このようにして、ＨＯＳＴ  ＣＰＵから３Ｄ伝送モードか２Ｄ伝送モードかを通知し、２Ｄ伝送モード時は片面ＭＵＴＥ機能を発揮させ、３Ｄ伝送モード時は片面ＭＵＴＥ機能を確実に停止させて、３Ｄ映像信号の伝送を保障することができる。
【０１０７】
（固定面出力部の変形例３）
図１５は固定面出力部の変形例３を示す。
【０１０８】
前記図１４の固定面出力部１７０１では、ＨＯＳＴ  ＣＰＵからのレジスタ制御部１７００を介した２Ｄ／３Ｄ設定信号に基づいてセレクタ１７０３を選択制御したのに代え、図１５の固定面出力部１８００では、外部から入力される３Ｄ／２Ｄ識別信号１８０１をセレクタ１８０２の選択制御信号としたものである。
【０１０９】
従って、本変形例でも、外部からの３Ｄ／２Ｄ識別信号１８０１が２Ｄ伝送モードの時はセレクタ１８０２で固定面選択信号生成部１８０３の固定面選択信号を選択して、片面ＭＵＴＥ機能を発揮させ、一方、３Ｄ伝送モード時は、０値を固定面選択信号として選択して、片面ＭＵＴＥ機能の停止により３Ｄ映像信号の伝送を保障することが出来る。
【０１１０】
（固定面出力部の変形例４）
図１６は固定面出力部の変形例４を示す。
【０１１１】
同図の固定面出力部１９０１は、図１４及び図１５の固定面出力部１７０１、１８００を組み合せたものであり、ＨＯＳＴ  ＣＰＵから２Ｄ／３Ｄ選択設定と、外部からの２Ｄ／３Ｄ識別信号の入力との双方を備える。
【０１１２】
具体的には、固定面選択信号生成部１９０７とセレクタ１９０６と共に、更に他のセレクタ１９０３を備え、このセレクタ１９０３にレジスタ制御部１９００からの２Ｄ／３Ｄ設定信号１９０５と、外部からの３Ｄ／２Ｄ識別信号１９０４とを入力し、このセレクタ１９０３の切換制御信号として、前記レジスタ制御部１９００から外部３Ｄ識別信号使用設定信号１９０２を使用する。
【０１１３】
ＨＯＳＴ  ＣＰＵ４０３が外部３Ｄ識別信号使用設定信号１９０２を外部３Ｄ／２Ｄ識別信号側にすると、外部３Ｄ／２Ｄ識別信号１９０４がセレクタ１９０６の選択制御信号となる。この選択制御信号に基づいてセレクタ１９０６は、固定面選択信号生成部１９０７からの固定面選択信号と０値とを切り換える。
【０１１４】
一方、ＨＯＳＴ  ＣＰＵ４０３が外部３Ｄ識別信号使用設定信号１９０２をＨＯＳＴ  ＣＰＵ設定側にすると、レジスタ制御部１９００からの２Ｄ設定信号又は３Ｄ設定信号１９０５がセレクタ１９０６の制御信号となる。
【０１１５】
このようにして、外部３Ｄ／２Ｄ識別信号１９０４を使用して固定面選択信号を制御するか、ＨＯＳＴ  ＣＰＵ４０３から２Ｄ／３Ｄ選択設定をするかをＨＯＳＴ  ＣＰＵ４０３で自由に選択することが出来る。
【産業上の利用可能性】
【０１１６】
以上説明したように、本発明は、ＨＤＭＩ伝送における３Ｄ伝送フォーマットに従って２Ｄ映像信号が伝送されて来た場合にも、映像信号処理装置内の信号処理回路の不要な動作を抑制して、低消費電力化が可能であるので、ブルーレイやＤＶＤプレーヤー等の組み込み機器に適用して有用である。
【符号の説明】
【０１１７】
４０１                              Ｖｉｄｅｏ信号源
４０２                              ＨＤＭＩ伝送部
４０３                              ＨＯＳＴ  ＣＰＵ
４０４                              表示装置
４１０                              入力ＶＩＤＥＯ制御部
４１１、５００、６００、８００、
９００、１０００、１１００      片面ＭＵＴＥ制御部
４１２、６０５                      電力削減ブロック
４１２ａ                            入力ＶＩＤＥＯ制御部（信号処理部）
４１２ｂ                            色空間変更部（信号処理部）
４１２ｃ                            Ｐａｃｋｅｔ搭載部（信号処理部）
４１３                              Ｅｎｃｏｄｅ部
４１４、５０１、６０１、８０１、
９０１、１００１、１１０１、
１２０２、１３０１、１５０１、
１６００、１７００、１９００    レジスタ制御部
５０２、６０２、８０２、１５００    ＬＲ判定回路
５０３、６０３、８０３、１６０１、
１７０１、１８００、１９０１    固定面出力部
５０５、８０５、１１０４、１２０１、
１５０３、１６０５、１７０３、
１８０２、１９０３、１９０６        セレクタ
６０４、８０６、１２００、１３００  クロック制御部
９０２、１１０２                    固定データ選択部
１３０２                            クロック制御自動選択部
１６０４                            反転器
【図１】
2011014993.tif 000003
【図２】
2011014993.tif 000004
【図３】
2011014993.tif 000005
【図４】
2011014993.tif 000006
【図５】
2011014993.tif 000007
【図６】
2011014993.tif 000008
【図７】
2011014993.tif 000009
【図８】
2011014993.tif 000010
【図９】
2011014993.tif 000011
【図１０】
2011014993.tif 000012
【図１１】
2011014993.tif 000013
【図１２】
2011014993.tif 000014
【図１３】
2011014993.tif 000015
【図１４】
2011014993.tif 000016
【図１５】
2011014993.tif 000017
【図１６】
2011014993.tif 000018
【図１７】
2011014993.tif 000019
【図１８】
2011014993.tif 000020
【図１９】
2011014993.tif 000021